(57)【特許請求の範囲】
【請求項１】
ブリリアントカットの装飾体を保持する均一な厚みを有する２枚の板状部材により形成され、
前記板状部材は、前記装飾体の裏面側のパビリオンの形状に対応した傾斜面を有する二股部と該二股部の基部とからなる支持部と、前記二股部の先端から伸延して前記装飾体の表面側のクラウンの周縁に係止される一対の爪部とを有してプレス成形により形成され、
前記一対の爪部は、前記装飾体の最大径のガードルよりも先端側の一対の対向面が前記支持部の中心軸に平行に、かつ前記対向面とその裏面とで決まる爪厚が爪先端に向かって先細りに形成され、
前記２枚の板状部材は、一方の前記基部の下面と他方の前記基部の上面とから、それぞれ前記支持部の中心軸に沿って切り欠いてなる切り欠き部を有し、２つの前記基部を互いに直交させて前記切り欠き部を噛み合わせて組み付けられ、
前記切り欠き部は、切欠き幅が前記板状部材の板厚に対応して設定され、切欠き深さが前記支持部の高さを互いに一致させるように設定されてなる石座。
【請求項２】
前記一方の前記板状部材は、前記二股部の傾斜面が交差する位置の前記基部の上部に、前記装飾体のキューレットとの接触を避ける凹部が形成されてなる請求項１に記載の石座。
【請求項３】
前記板状部材は、いずれか一方の前記基部に、連結部材が連結される少なくとも一つの穴部が形成されてなる請求項１又は２に記載の石座。
【請求項４】
請求項２に記載の石座に装飾体を保持してなる装身具であって、
ブリリアントカットの前記装飾体は、上部のクラウンと、下部のパビリオンと、これらの接続部に位置するガードルと、前記パビリオンの下端に突出するキューレットとを有してなり、
前記装飾体は、前記２枚の板状部材の前記二股部の傾斜面に前記パビリオンの少なくとも上部が当接され、前記凹部に前記キューレットが位置され、前記爪の先端を前記クラウン側に加締めて保持されてなる装身具。
【発明の詳細な説明】
【技術分野】
【０００１】
本発明は、装飾体を保持する石座とこの石座を備えた装身具に関する。
【背景技術】
【０００２】
従来、宝石類や貴金属類等の装飾体を用いた装身具として、ブレスレット、ネックレス、ペンダント、指輪等の各種装身具が知られている。例えば、宝石を用いたブレスレットにおいては、チェーン等に連結された石座に宝石が保持される。この種の石座には、宝石を支持する支持部と、この支持部から起立する複数の爪部とを有し、支持部に宝石の裏面側を当接させ、宝石の表面側を複数の爪部が取り囲むようにして係止する構造のものが知られている。このような石座は、隣り合う爪部の隙間から宝石のカット面が露出され、この露出度が大きくなるほど、宝石の良好な輝きを引き出すことができる。
【０００３】
この種の石座は、様々な製造方法により製造される。特許文献１には、ワークを切削加工で切り出して所望の形状の石座を一体的に製造する方法が記載されている。また、特許文献２には、装飾体を支持する台座と、台座から延びる下部フレームとをプレス成形によって一体的に形成し、下部フレームの上端に別途製造した上部フレームをろう付けすることで、装飾体を包囲する形状の石座を製造する方法が記載され、特許文献３には、鋳造成形によって複数の爪部を有する石座を一体的に製造する方法が記載されている。
【先行技術文献】
【特許文献】
【０００４】
【特許文献１】特開平７−５５９５９号公報
【特許文献２】特開２００３−２９９５１３号公報
【特許文献３】特開平１１−３０５６７１号公報
【発明の概要】
【発明が解決しようとする課題】
【０００５】
ところで、特許文献１のような切削加工では、ワークをドリル等で削り出して所望の形状を形成するため、宝石を係止する爪部のような細長い形状を削り出すことができない。そのため、石座を切削加工で製造するには、設計上、爪部の寸法を大きく設定しなければならず、装飾体の露出度が小さくなるという問題がある。
【０００６】
これに対し、特許文献２のようなプレス成形では、爪部のような細長い形状を成形することが可能であるが、石座のような立体的な形状、つまり装飾体を支持する支持部と、支持部から装飾体を取り囲むように延びる複数の爪部を有する形状を形成するためには、複数のパーツを接合（ろう付け等）して組み付けなければならず、生産性の低下が懸念される。
【０００７】
一方、特許文献３のような鋳造成形であれば、立体的な石座を一体的に成形することが可能であるが、鋳造品はプレス加工品と比べて材料の硬度が低いため、設計上、爪部の寸法を大きく設定しなければ、宝石の保持力を確保できない。そのため、鋳造された石座は、切削加工品と同様に装飾体の露出度が小さくなる。
【０００８】
本発明は、このような問題に鑑みてなされたものであり、装飾体の露出度を大きくすることができ、しかも、生産性の高い石座を提供することを課題とする。
【課題を解決するための手段】
【０００９】
上記課題を解決するため、本発明の石座は、ブリリアントカットの装飾体を保持する均一な厚みを有する２枚の板状部材により形成され、前記板状部材は、前記装飾体の裏面側のパビリオンの形状に対応した傾斜面を有する二股部と該二股部の基部とからなる支持部と、前記二股部の先端から伸延して前記装飾体の表面側のクラウンの周縁に係止される一対の爪部とを有してプレス成形により形成され、前記一対の爪部は、前記装飾体の最大径のガードルよりも先端側の一対の対向面が前記支持部の中心軸に平行に、かつ前記対向面とその裏面とで決まる爪厚が爪先端に向かって先細りに形成され、前記２枚の板状部材は、一方の前記基部の下面と他方の前記基部の上面とから、それぞれ前記支持部の中心軸に沿って切り欠いてなる切り欠き部を有し、２つの前記基部を互いに直交させて前記切り欠き部を噛み合わせて組み付けられ、前記切り欠き部は、切欠き幅が前記板状部材の板厚に対応して設定され、切欠き深さが前記支持部の高さを互いに一致させるように設定されてなることを特徴とする。
【００１０】
これによれば、２枚の板状部材は、切り欠き部同士を互いに交差するように重ね合せることで、互いの支持部が交差して立体的に組み付けられ、各板状部材に形成された一対の爪部は、装飾体を包囲するように配置される。このように組み付けられた２枚の板状部材は、支持部に装飾体の裏面側を当接させ、各爪部の先端部を装飾体の表面側に係止することで、装飾体を保持することができる。ここで、爪部と支持部は、それぞれ１枚の板状部材に形成されるから、プレス加工によって一体成形することができ、しかも、２枚の板状部材は、互いに固定されていなくても、各爪部が装飾体を係止することで互いの動きを規制する。したがって、本発明の石座は、プレス成形された２枚の板状部材を重ね合せ、各爪部の先端部を加締めて装飾体に係止するだけの簡単な作業で組み付けられるから、生産性が高くなる。また、２枚の板状部材は、板厚に関わらず、プレス成形が可能であるため、強度的に問題がない範囲で薄く設定することができ、しかも、石座を外側からみたときの爪部の幅寸法は、各爪部の板状部材の厚み寸法と同一である。したがって、爪部の幅寸法が小さくなる分、装飾体の露出度を大きく確保することができ、装飾体の宝石の良好な輝きを引き出すことができる。
【００１１】
この場合において、２枚の板状部材の支持部は、それぞれ装飾体の断面形状に対応する形状に形成されていることが好ましい。これによれば、板状部材の支持部に沿って装飾体の裏面が配置されるから、装飾体のガタ付きを抑制することができ、装飾体の保持力が安定する。
【００１２】
また、２枚の板状部材のいずれか一方は、連結部材が連結される穴部が形成されていることが好ましい。これによれば、連結部材を石座に直接連結できるから、装身具の構造が簡単になる。また、２枚の板状部材を組み付ける際に、穴部の有無によって２枚の板状部材を容易に識別できるから、これらの板状部材を重ねる順番を間違えることがなく、石座の組み付け作業性が向上する。
【００１３】
また、上記課題を解決するため、本発明の装身具は、２枚の板状部材を有する石座に保持された装飾体を備え、２枚の板状部材は、装飾体を保持する支持部に形成された切り欠き部が互いに交差するように組み付けられ、装飾体は、２枚の板状部材の支持部の少なくとも一方に裏面側が当接し、支持部から起立する一対の爪部の先端部にそれぞれ表面側が係止されていることを特徴とする。
【００１４】
これによれば、石座の生産性を向上できるから、装身具としての製造コストを低減できる。また、装飾体の露出度が大きくなることで、装身具全体の美観が向上する。
【発明の効果】
【００１５】
本発明によれば、装飾体の露出度を高めることができ、かつ生産性の高い石座を提供することができる。
【図面の簡単な説明】
【００１６】
【図１】本発明が適用される石座の一方の板状部材を示す側面図である。
【図２】本発明が適用される石座の他方の板状部材を示す側面図である。
【図３】２枚の板状部材を組み付ける途中の状態を示す斜視図である。
【図４】本発明が適用される石座の上面図である。
【図５】本発明が適用される石座に宝石を組み付ける途中の状態を示す斜視図である。
【図６】本発明が適用される石座に装飾体を組み付けた状態を示す外観斜視図である。
【図７】図６の上面図である。
【図８】本発明が適用される装身具の一例を示す側面図である。
【発明を実施するための形態】
【００１７】
以下、本発明が適用される石座を含む装身具の一実施形態について図面を参照して説明する。なお、本実施形態では、装飾体としてダイヤモンドを用いる例を説明するが、この装飾体にはダイヤモンド以外のエメラルドやサファイア等の宝石類、貴金属類等の各種装飾品を用いることができる。
【００１８】
本実施形態の石座１は、図１〜図５に示すように、第１の板状部材３と、第２の板状部材５とを組み付けて構成される。なお、図１及び図２は、それぞれ第１の板状部材３、第２の板状部材５の側面図であり、ダイヤモンド７を２点鎖線で表している。
【００１９】
ここで、ダイヤモンド７は、例えば、ブリリアントカットの多面体であり、キューレット７ａ、パビリオン７ｂ、ガードル７ｃ、クラウン７ｄ、テーブル７ｅ等部位を有する。
【００２０】
第１の板状部材３は、平板状に形成された貴金属等の板材をプレス加工して形成され、全体が均一の厚みを有している。第１の板状部材３は、ダイヤモンド７のパビリオン７ｂ（裏面側）に当接する当接部位を有する支持部９と、支持部９の幅方向の両端部から起立する一対の爪部１１ａ，１１ｂとを備え、中心軸Ｓ１（ダイヤモンド７の中心軸）に対して左右対称に形成される。
【００２１】
支持部９は、ダイヤモンド７が当接する当接部位が、ダイヤモンド７のパビリオン７ｂの断面形状に対応する形状に形成され、具体的には１対の傾斜面１３ａ，１３ｂを有する。支持部９の傾斜面１３ａ，１３ｂが交差する部位には、ダイヤモンド７のキューレット７ａとの接触を避けるために、断面矩形状に切り欠いた逃がし部１５が形成される。また、支持部９は、傾斜面１３ａ，１３ｂと反対側の外面１７が断面円弧状に形成され、この外面１７には、中心軸Ｓ１とほぼ直交する方向に延びる平坦面１９が形成される。
【００２２】
支持部９の外面１７には、平坦面１９から中心軸Ｓ１に沿って断面矩形状に切り欠いた切り欠き部２１が形成される。切り欠き部２１は、中心軸Ｓ１と直交する方向の幅寸法が、第２の板状部材３の厚みよりも僅かに大きく設定される。
【００２３】
爪部１１ａ，１１ｂは、支持部９の外面１７と連なる円弧状の外面と、傾斜面１３ａ，１３ｂにそれぞれ連なり中心軸Ｓ１に沿って延びる平坦な内面とを有し、傾斜面１３ａ，１３ｂにパビリオン７ｂが当接された状態のダイヤモンド７において、クラウン７ｄと接触可能（係止可能）な長さに設定される。
【００２４】
第２の板状部材５は、第１の板状部材３と同様に、平板状に形成された貴金属等の板材をプレス加工して形成され、全体が均一の厚みを有している。第２の板状部材５は、ダイヤモンド７のパビリオン７ｂ（裏面側）に当接する当接部位を有する支持部２３と、支持部２３の幅方向の両端部から起立する一対の爪部２５ａ，２５ｂとを備え、中心軸Ｓ２（ダイヤモンド７の中心軸）に対して左右対称に形成される。
【００２５】
支持部２３は、ダイヤモンド７が当接する当接部位がダイヤモンド７のパビリオン７ｂの断面形状に対応する形状に形成され、具体的には１対の傾斜面２７ａ，２７ｂを有する。支持部２３は、傾斜面２７ａ，２７ｂと反対側の外面２９が断面円弧状に形成され、この外面２９には、中心軸Ｓ２とほぼ直交する方向に延びる平坦面３１が形成される。支持部２３の幅方向の両側には、それぞれ中心軸Ｓ２と反対方向に延びる連結部３３ａ，３３ｂが形成される。連結部３３ａ，３３ｂは、それぞれチェーン等の連結部材（後述）が係止される穴部３５ａ，３５ｂを有する。
【００２６】
支持部２３の傾斜面２７ａ，２７ｂが交差する部位には、中心軸Ｓ２に沿って断面矩形状に切り欠いた切り欠き部３７が形成される。切り欠き部３７は、中心軸Ｓ２と直交する方向の幅寸法が、第１の板状部材３の厚みよりも僅かに大きく設定される。なお、本実施形態では、切り欠き部３７の幅寸法が、第１の板状部材３の切り欠き部２１の幅寸法と同一に設定されるが、第１の板状部材３と第２の板状部材５の板厚に応じて互いの切り欠き部２１，３７の幅寸法が異なっていてもよい。平坦面３１には、中心軸Ｓ２に沿って円弧状に切り欠いた凹部３９が形成される。
【００２７】
爪部２５ａ，２５ｂは、支持部２３の外面２９と連なる円弧状の外面と、傾斜面２７ａ，２７ｂにそれぞれ連なり中心軸Ｓ２に沿って延びる平坦な内面とを有し、傾斜面２７ａ，２７ｂにパビリオン７ｂが当接されたダイヤモンド７のクラウン７ｄと接触可能（係止可能）な長さに設定される。
【００２８】
石座１は、図３に示すように、第１の板状部材３の切り欠き部２１と第２の板状部材５の切り欠き部３７とを同軸上に対向させてほぼ直角に交差するように噛み合わせ、互いの切り欠き部２１，３７の底面同士を当接させることにより、第１の板状部材３と第２の板状部材５が互いにほぼ直交（交差）して組み付けられる。
【００２９】
このようにして組み付けられた石座１は、図４及び図５に示すように、第１の板状部材３の支持部１３ａ，１３ｂと第２の板状部材５の支持部２７ａ，２７ｂとが、互いにほぼ直交して配置されると共に傾斜面１３ａ，１３ｂと傾斜面２７ａ，２７ｂとがそれぞれダイヤモンド７のパビリオン７ｂに当接可能な高さに位置付けられる。また、石座１は、第１の板状部材３の平坦面１９と第２の板状部材５の平坦面３１とがほぼ同一平面上に配置される。
【００３０】
石座１には、図５に示すように、爪部１１ａ，１１ｂ，２５ａ，２５ｂの内側にダイヤモンド７が挿入される。ダイヤモンド７は、石座１の第１の板状部材３に形成された逃がし部１５にキューレット７ａが挿入された状態で、パビリオン７ｂが、傾斜面１３ａ，１３ｂと傾斜面２７ａ，２７ｂとにそれぞれ当接する。
【００３１】
続いて、石座１は、図６及び図７に示すように、爪部１１ａ，１１ｂの先端部と爪部２５ａ，２５ｂの先端部とが、それぞれ治具で内側に折り曲げられる。その結果、ダイヤモンド７は、裏面側のパビリオン７ｂが、傾斜面１３ａ，１３ｂと傾斜面２７ａ，２７ｂとに当接された状態で、表面側のクラウン７ｄが、爪部１１ａ，１１ｂと爪部２５ａ，２５ｂとにそれぞれ係止され、石座１に保持される。
【００３２】
本実施形態によれば、第１の板状部材３と第２の板状部材５は、切り欠き部２１，３７を互いに交差するように重ね合せることで、支持部９の傾斜面１３ａ，１３ｂと支持部２３の傾斜面３５ａ，３５ｂとが交差して立体的に組み付けられ、各板状部材３，５に形成された爪部１１ａ，１１ｂ及び爪部２５ａ，２５ｂは、ダイヤモンド７を包囲するように配置される。このように組み付けられた２枚の板状部材３，５は、支持部９の傾斜面１３ａ，１３ｂと支持部２３の傾斜面３５ａ，３５ｂとにダイヤモンド７の裏面側を当接させ、爪部１１ａ，１１ｂの先端部及び爪部２５ａ，２５ｂの先端部をそれぞれダイヤモンド７の表面側に係止することで、ダイヤモンド７を保持（石留め）することができる。
【００３３】
ここで、一対の爪部１１ａ，１１ｂと支持部９及び一対の爪部２５ａ，２５ｂと支持部２３は、それぞれ１枚の板状部材に形成されるから、プレス加工によって一体形成することができ、しかも、２枚の板状部材３，５は、例えば、ろう付け等で互いに固定されていなくても、各爪部１１ａ，１１ｂ，２５ａ，２５ｂがそれぞれダイヤモンド７を係止することで互いの動きを規制する。したがって、本実施形態の石座１は、プレス成形された２枚の板状部材３，５を重ね合せ、各爪部１１ａ，１１ｂ，２５ａ，２５ｂの先端部を加締めてダイヤモンド７に係止するだけの簡単な作業で組み付けられるから、生産性が高くなる。また、２枚の板状部材３，５は、板厚に関わらず、プレス成形が可能であるため、強度的に問題がない範囲で、これらの厚みを薄く（自在に）設定することができ、しかも、石座１を外側からみたときの各爪部１１ａ，１１ｂ，２５ａ，２５ｂの幅寸法は、いずれも板状部材３，５の厚みと同一である。したがって、各爪部１１ａ，１１ｂ，２５ａ，２５ｂの幅寸法が小さくなる分、ダイヤモンド７の露出度を大きく確保することができ、ダイヤモンド７の良好な輝きを引き出すことができる。
【００３４】
また、本実施形態では、２枚の板状部材３，５の支持部９，２３が、ダイヤモンド７の断面形状に対応する形状の傾斜面１３ａ，１３ｂ，２７ａ，２７ｂを有して形成されるから、石座１に保持されたダイヤモンド７は、支持部９，２３に沿ってパビリオン７ｂが配置される。これにより、ダイヤモンド７と支持部９，２３との隙間を小さくできるから、ダイヤモンド７のガタつきを抑制することができ、ダイヤモンド７の保持力を高めることができる。なお、本実施形態では、支持部９，２３の両方がそれぞれダイヤモンド７の裏面側に当接することでダイヤモンド７の保持力を高めているが、いずれか一方の支持部がダイヤモンド７の裏面側に当接するように構成することもできる。
【００３５】
次に、本実施形態の石座１を用いた装身具の一例を説明する。図８は、複数の石座１を用いたブレスレットの一部を示す側面図である。なお、本実施形態の石座１が適用される装身具としては、ブレスレットに限られるものではなく、ネックレス、ペンダント、指輪、イアリング等が含まれる。
【００３６】
本実施形態のブレスレット４１は、隣り合う石座１ａ，１ｂにおいて、石座１ａの連結部３３ｂと、石座１ｂの連結部３３ａとが、連結部材４３を介して連結される。連結部材４３は、チェーン等の周知の部材を使用することができる。本実施形態の連結部材４３は、貴金属製の板材が折り曲げられ、その両端部に円柱状の軸部材４５を軸支する貫通孔を有する。石座１ａの連結部３３ｂに形成された穴部３５ｂに挿通された軸部材４５の両端が連結部材４３に軸支され、石座１ｂの連結部３３ａに形成された穴部３５ａに挿通された軸部材４５の両端が連結部材４３に軸支されることによって、隣り合う石座１ａ，１ｂは、軸部材４５を中心に回動可能に連結される。なお、軸部材４５は、ボスのように連結部材４３と一体形成することもできる。
【００３７】
本実施形態では、石座１を構成する２枚の板状部材３，５のうちいずれか一方（ここでは、第２の板状部材５）に穴部３５ａ，３５ｂが形成されているから、石座１に連結部材４３を直接連結することができ、ブレスレット４１の構造が簡単になる。また、２枚の板状部材３，５を組み付ける際に、穴部３５ａ，３５ｂの有無によって２枚の板状部材３，５を容易に識別できるから、板状部材３，５を重ねる順番を間違えることがなく、石座１の組み付け作業性が向上する。
【００３８】
本実施形態の石座１を備えたブレスレット４１は、石座１の生産性を向上できるから、ブレスレット４１全体の製造コストを低減できる。また、石座１に保持された各ダイヤモンド７の露出度が大きくなることで、ブレスレット４１全体の美観が向上する。
【００３９】
以上、本発明の実施形態を図面により詳述したが、本実施形態は本発明の例示にしか過ぎないものであり、請求項に記載された範囲内において変更・変形することが可能である。
【００４０】
例えば、本実施形態の第１の板状部材３と第２の板状部材５は、それぞれ装飾体（ダイヤモンド７）の形状に対応させて左右対称に形成されているが、例えば、装飾体の形状が左右非対称の異形の場合は、この装飾体の形状に対応させて左右非対称とすることもできる。
【００４１】
また、本実施形態の第１の板状部材３と第２の板状部材５は、貴金属等の板材から形成されているが、プレス成形可能な材質であれば、貴金属等に限定されるものではなく、鉄系の金属板材をプレス成形し、所望のメッキを施して構成することもできる。
【符号の説明】
【００４２】
１  石座
３  第１の板状部材
５  第２の板状部材
７  ダイヤモンド（装飾体）
９，２３  支持部
１１ａ，１１ｂ，２５ａ，２５ｂ  爪部
１３ａ，１３ｂ，２７ａ，２７ｂ  傾斜面
１５  逃がし部
２１，３７  切り欠き部
３３ａ，３３ｂ  連結部
３５ａ，３５ｂ  穴部
４３  連結部材
４５  軸部材
【図１】
0006360822.tif 000002
【図２】
0006360822.tif 000003
【図３】
0006360822.tif 000004
【図４】
0006360822.tif 000005
【図５】
0006360822.tif 000006
【図６】
0006360822.tif 000007
【図７】
0006360822.tif 000008
【図８】
0006360822.tif 000009